(57)【要約】【課題】新聞等の定期刊行物を極めて容易に整理することができる書類整理バインダーを提供する。【解決手段】書類Aのパンチ穴に通される綴じ紐１１を両面ファスナとし、表カバー２、裏カバー３に設けられた留め片１０には細溝状の引っ掛け部１３を形成した。また、接着加工した見返し片１５を留め片１０に沿って備えているので極めて簡単に製本することができる。綴じ紐１１の上から留め片１０全体に見返し片１５を貼着するので、長期に亘って綴じ紐１１の張力を維持することが可能となる。【選択図】図４
2011031411.tif 000002
【特許請求の範囲】
【請求項１】
書類を重ねた状態に綴じて整理し、閲覧可能な状態で保管するための書類整理バインダーにおいて、
表カバーと、裏カバーと、これら何れか一方の側端縁より延出して他方の側端縁に連なる背フラップとを有し、
前記表カバーと前記裏カバーの互いに対向する前記側端縁に、前記背フラップの内側で前記書類の側端縁を挟持した状態で対向する留め片をそれぞれ設け、
前記書類の側端縁に予め開けられた２つ１組単位のパンチ穴に、それぞれ面ファスナから成る綴じ紐を別々に貫通させて、
前記各留め片には、前記パンチ穴を貫通して各留め片より両側に延び出る前記綴じ紐の途中を掛止可能な引っ掛け部を設けておき、
別々の前記パンチ穴を貫通し前記引っ掛け部に掛止された前記綴じ紐を、それぞれ同一の留め片上に沿ったもの同士で互いの面ファスナで結合し、前記書類を重ねた状態に綴じることを特徴とする書類整理バインダー。
【請求項２】
前記綴じ紐は、両面ファスナを細幅に裁断したものであり、その両端に直線状に延びる剛性部を設けたことを特徴とする請求項１に記載の書類整理バインダー。
【請求項３】
前記引っ掛け部は、前記綴じ紐の途中を前記留め片の端縁より挿入可能な細溝であり、該細溝は一対同士の奧側が入口側より近接する角度に延びることを特徴とする請求項１または２に記載の書類整理バインダー。
【請求項４】
前記背ラップは、表カバーと裏カバーの何れか一方の側端縁より延出して、他方の側端縁に設けられた隙間に所定範囲で挿入可能な長さを有し、前記書類を重ね合せた厚さに応じて幅を調整することを特徴とする請求項１，２または３に記載の書類整理バインダー。
【請求項５】
前記各留め片に沿って、それぞれ留め片と平行に延び、かつ留め片に対して前記綴じ紐も重ね合せた状態で接着可能な糊代面を備えた見返し片を設けたことを特徴とする請求項１，２，３または４に記載の書類整理バインダー。
【発明の詳細な説明】
【技術分野】
【０００１】
本発明は、書類を重ねた状態に綴じて整理し、閲覧可能な状態で保管するための書類整理バインダーに関する。
【背景技術】
【０００２】
従来、図書館等の施設で新聞等に代表される定期刊行物は、開架の閲覧室等で期間毎に当日（最新）の刊行物、１週間前まで、１ヶ月前まで等に仕分けられて、例えば特許文献１に示されるような新聞架を利用して、閲覧に供されている。
【０００３】
閲覧期間後、それらの刊行物は閉架の保管室等に移動されるが、ばら積み、または紐かけ程度で保管用棚等において管理されるのが一般的である。その後、さらに長期に亘って保存が必要な刊行物は散逸を防ぐために製本をして保管されている。
【先行技術文献】
【特許文献】
【０００４】
【特許文献１】特開平８−３２４１７３号公報
【発明の概要】
【発明が解決しようとする課題】
【０００５】
しかしながら、前述したような図書館等における従来の定期刊行物の管理では、開架、閉架における閲覧、整理、その後の保管を別々の手段で行っており、使い勝手が良くなく、管理費なども嵩みコストアップの原因ともなっていた。
【０００６】
本発明は、このような従来の技術が有する問題点に着目してなされたもので、閲覧、保存を一貫して行い、かつ簡易に可能とする書類整理バインダーを提供することを目的としている。
【課題を解決するための手段】
【０００７】
前述した目的を達成するための本発明の要旨とするところは、以下の各項の発明に存する。
［１］書類（Ａ）を重ねた状態に綴じて整理し、閲覧可能な状態で保管するための書類整理バインダー（１）において、
表カバー（２）と、裏カバー（３）と、これら何れか一方の側端縁（２ａ）より延出して他方の側端縁（３ａ）に連なる背フラップ（１４）とを有し、
前記表カバー（２）と前記裏カバー（３）の互いに対向する前記側端縁（２ａ，３ａ）に、前記背フラップ（１４）の内側で前記書類（Ａ）の側端縁を挟持した状態で対向する留め片（１０）をそれぞれ設け、
前記書類（Ａ）の側端縁に予め開けられた２つ１組単位のパンチ穴（Ａ１）に、それぞれ面ファスナから成る綴じ紐（１１）を別々に貫通させて、
前記各留め片（１０）には、前記パンチ穴（Ａ１）を貫通して各留め片（１０）より両側に延び出る前記綴じ紐（１１）の途中を掛止可能な引っ掛け部（１３）を設けておき、
別々の前記パンチ穴（Ａ１）を貫通し前記引っ掛け部（１３）に掛止された前記綴じ紐（１１）を、それぞれ同一の留め片（１０）上に沿ったもの同士で互いの面ファスナで結合し、前記書類（Ａ）を重ねた状態に綴じることを特徴とする書類整理バインダー（１）。
【０００８】
［２］前記綴じ紐（１１）は、両面ファスナを細幅に裁断したものであり、その両端に直線状に延びる剛性部（１２）を設けたことを特徴とする［１］に記載の書類整理バインダー（１）。
【０００９】
［３］前記引っ掛け部（１３）は、前記綴じ紐（１１）の途中を前記留め片（１０）の端縁より挿入可能な細溝であり、該細溝は一対同士の奧側が入口側より近接する角度に延びることを特徴とする［１］または［２］に記載の書類整理バインダー（１）。
【００１０】
［４］前記背フラップ（１４）は、表カバー（２）と裏カバー（３）の何れか一方の側端縁（２ａ）より延出して、他方の側端縁（３ａ）に設けられた隙間に所定範囲で挿入可能な長さを有し、前記書類（Ａ）を重ね合せた厚さに応じて幅を調整することを特徴とする［１］，［２］または［３］に記載の書類整理バインダー（１）。
【００１１】
［５］前記各留め片（１０）に沿って、それぞれ留め片（１０）と平行に延び、かつ留め片（１０）に対して前記綴じ紐（１１）も重ね合せた状態で接着可能な糊代面（１５ａ）を備えた見返し片（１５）を設けたことを特徴とする［１］，［２］，［３］または［４］に記載の書類整理バインダー（１）。
【００１２】
次に、前述した解決手段に基づく作用を説明する。
前記［１］に記載の書類整理バインダー（１）によれば、パンチ穴（Ａ１）が予め開けられた書類（Ａ）の２つ１組単位の該パンチ穴（Ａ１）に綴じ紐（１１）をそれぞれ別々に貫通させて、引っ掛け部（１３）に掛止し、１組の前記パンチ穴（Ａ１）から延びる同一の面から出る綴じ紐（１１）同士を互いに面ファスナで結合することにより、前記書類（Ａ）を重ねた状態に綴じることができる。
【００１３】
前記［２］に記載の書類整理バインダー（１）によれば、前記綴じ紐（１１）は、両面ファスナを細幅に裁断したものであるので、所定の噛み合い力を持ちながらも簡単に剥がすことができ、取り扱いも容易なものとなる。  
また、綴じ紐（１１）の両端に直線状に延びる剛性部（１２）を形成したので、前記パンチ穴（Ａ１）を貫通させて、引っ掛け部（１３）に掛止を容易にすることができる。
【００１４】
前記［３］に記載の書類整理バインダー（１）によれば、前記引っ掛け部（１３）を前記留め片（１０）の端縁より挿入可能な細溝としたので、留め片（１０）に対する前記綴じ紐（１１）の着脱を容易に行うことができる。ここで細溝は一対同士の奧側が入口側より近接する角度に延びるように形成されているので、前記綴じ紐（１１）が抜け落ちることはない。
【００１５】
前記［４］に記載の書類整理バインダー（１）によれば、前記背フラップ（１４）を表カバー（２）と裏カバー（３）の何れか一方の側端縁（２ａ）より延ばして、他方の側端縁（３ａ）に設けられた隙間に挿入することができるので、前記書類（Ａ）を重ね合せた厚さに応じて幅を調整することができる。
【００１６】
前記［５］に記載の書類整理バインダー（１）によれば、見返し片（１５）の糊代面（１５ａ）を前記綴じ紐（１１）を重ね合せた状態で前記留め片（１０）を接着することにより、容易に製本することができる。
【発明の効果】
【００１７】
本発明に係る書類整理バインダーによれば、閲覧とその後の保管に際してファイリングすることのみで行えるので、非常に容易である。また、簡易な方法で刊行物を製本することができるので、長期に亘っての保存の際にも利用することができる。
【図面の簡単な説明】
【００１８】
【図１】本発明の一実施の形態に係る書類整理バインダーの書類を綴じた状態を示す斜視図である。
【図２】本発明の一実施の形態に係る書類整理バインダーの開いた状態を示す斜視図である。
【図３】本発明の一実施の形態に係る書類整理バインダーを開いて、書類のパンチ穴に綴じ紐を通した状態を示す斜視図である。
【図４】本発明の一実施の形態に係る書類整理バインダーを開いて、展開した状態を示す斜視図である。
【図５】本発明の一実施の形態に係る書類整理バインダーにおいて、書類のパンチ穴に綴じ紐を通した部分を拡大して示す斜視図である。
【図６】本発明の一実施の形態に係る書類整理バインダーにおいて、一組の綴じ紐を引っ掛け部に掛けて、該綴じ紐同士を結合した部分を拡大して示す斜視図である。
【図７】本発明の一実施の形態に係る書類整理バインダーにおいて、一組の綴じ紐を引っ掛け部に掛けて、該綴じ紐同士を結合し、見返し片を留め片に接着する様子を示す斜視図である。
【発明を実施するための形態】
【００１９】
以下、図面に基づき本発明を代表する一の実施の形態を説明する。  
図１から図７は本発明の一実施の形態を示している。  
図１は、本実施の形態に係る書類整理バインダー１により書類Ａを綴じた状態を示す斜視図であり、図２は、書類整理バインダー１のみを開いた状態を示す斜視図である。図３は、書類整理バインダー１を開いた状態で書類Ａのパンチ穴Ａ１に綴じ紐１１を通した状態を示す斜視図である。
【００２０】
図４は、書類整理バインダー１の表カバー２と裏カバー３を展開した状態を示す斜視図であり、図５は、書類Ａのパンチ穴Ａ１に綴じ紐１１を通した部分を拡大して示す斜視図である。図６は、綴じ紐１１を引っ掛けて綴じ紐１１同士を結合した部分を拡大して示す斜視図であり、図７は、綴じ紐１１を引っ掛けて綴じ紐１１同士を結合し、製本する様子を示す斜視図である。
【００２１】
本実施の形態に係る書類整理バインダー１は、主として新聞等の定期刊行物等（以下、書類Ａとする。）を綴じるためのバインダーであり、表表紙を構成する表カバー２と裏表紙を構成する裏カバー３と背表紙を構成する背フラップ１４と、パンチ穴Ａ１を開けた書類Ａに通されると共に表・裏カバー２，３の引っ掛け部（細溝）１３に引っ掛けられる二組の綴じ紐１１を有する。書類整理バインダー１は、図書館、公文書館等の書類閲覧・保存施設で使われることを想定している。以下、順に構成要素を説明する。
【００２２】
図１〜図４に示すように、表カバー２の側端縁２ａを、その全長に亘り所定の幅で内側に折り曲げて留め片１０とし、該留め片１０の裏表紙に対向する面には、裏カバー３側に連なる背フラップ１４を接着剤、縫合、ステープラー等により接着する。裏カバー３の側端縁３ａも、その全長に亘り所定の幅で内側に折り曲げて留め片１０とすると共に、該留め片１０の基端縁の外側に沿って、前記背フラップ１４を挿入可能な隙間を設ける。
【００２３】
表カバー２の留め片１０に接着されて裏カバー３側に延出された背フラップ１４の端縁は、裏カバー３の側端縁３ａに設けられた前記隙間に挿入されることにより、書類Ａの厚さに応じて書類整理バインダー１の幅を自在に調整することができる。背フラップ１４の挿入される側の端縁は、挿入しやすいようにやや先を狭く形成する。
【００２４】
ここで背フラップ１４の他方の端縁は、裏カバー３の側端縁３ａの例えば留め片１０に接着剤等で接着される構成としても良いが、この場合、書類整理バインダー１の幅を調節できないことは言うまでもない。本実施の形態では、裏カバー３に前記隙間を設けられたものとして説明する。
【００２５】
図４、図６に示すように、表カバー２と裏カバー３の側端縁２ａ，３ａがそれぞれ折り曲げられて設けられた留め片１０には、書類Ａのパンチ穴Ａ１に通された綴じ紐１１を引っ掛けるための引っ掛け部（細溝）１３を形成する。細溝１３は、一対（二つ）一組で構成し、本実施の形態に係る書類整理バインダー１では、二組備えるものとする。
【００２６】
細溝１３は、留め片１０の側端縁より綴じ紐１１の挿入が可能なので、留め片１０に対する綴じ紐１１の着脱を容易に行うことができる。また、細溝１３は、一対同士の奧側が入口側より近接する角度に延びており、一対の細溝１３間の間隔が、各細溝１３の奥になるほど狭まるように形成したので、綴じ紐１１が抜け落ち難くなっている。なお、引っ掛け部１３は細溝により構成したが、通常の穴によって構成できるのは言うまでもない。
【００２７】
綴じ紐１１は、両面ファスナを細幅に裁断したものを使用する。これにより所定の結合力を持ちながらも簡単に剥がすことも可能となり、取り扱いも容易になる。両面ファスナは安価であり、丈夫な特性を有する。また、綴じ紐１１の両端には剛性部１２を形成したので、特に、分厚い書類を綴じるときに容易でない綴じ紐１１を通す作業を楽に行うことができる。
【００２８】
図４、図７に示すように、表カバー２、裏カバー３の各留め片１０に沿って、それぞれ留め片１０と平行に延び、かつ綴じ紐１１を細溝１３に引っ掛けた上で、留め片１０に対して重ね合わせた状態で接着可能な糊代面１５ａを有する見返し片１５を設けている。
【００２９】
より具体的には、通常糊代面１５ａには接着剤が塗ってある上にシールが貼られており、製本の際には、該シールを剥がして見返し片１５を留め片１０に貼ることにより、容易に製本することができる。見返し片１５の長手方向の長さは留め片１０と同じとし、一方、幅は留め片１０の幅と揃えるか、留め片１０と留め片１０の厚さの合計したものにするとよい。
【００３０】
次に、本実施の形態に係る書類整理バインダー１の作用を説明する。  
図２、図６に示すように、本書類整理バインダー１では綴じ紐１１は２つ１組単位のパンチ穴Ａ１にそれぞれ貫通されて、引っ掛け部１３に掛けられた両端部は同じ組同士で結合される。既に先の書類Ａが綴じられている場合は、図３に示すように片側だけ結合ならびに引っ掛けを解除して追加する。
【００３１】
図５に示すように、綴じ紐１１の両端部には剛性部１２が設けられているので、容易にパンチ穴Ａ１に通すことができる。特に、厚みのある書類に綴じ紐１１を通す際には効果的である。
【００３２】
図６に示すように、書類Ａに通された各綴じ紐１１は細溝１３に引っ掛けられた後、留め片１０の略長手方向に引っ張られて交差される。こうすることで、綴じ紐１１同士の接触面積を大きくし、より多くの書類の荷重にも耐えることとなる。
【００３３】
以降追加の綴じ用の書類Ａが発生しない場合、書類整理バインダー１の収納できる量の限界に達した場合等のときは、本実施の形態に係る書類整理バインダー１は簡単な作業で製本することができる。図７に示すように、留め片１０に沿って形成された見返し片１５の糊代面１５ａは予め接着加工されており、その上からシールが貼られている。
【００３４】
したがって、製本作業は、見返し片１５に貼られているシールを剥がし、各綴じ紐１１が細溝１３に引っ掛けられ交差している上から糊代面１５ａを留め片１０に貼着することのみでよい。糊代面１５ａの接着剤が綴じ紐１１の広範囲に亘って接着し摩擦力が働くので、長期間に亘って書類の荷重を保持する十分な張力を維持することができる。
【００３５】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、綴じ紐１１同士の結合は両面ファスナによるものとしたが、単に面ファスナによるものとしても良いし、またはシンプルな紐（綴じ紐）によってもよい。紐の場合は結ぶことによって結合力が得られる。
【００３６】
また、見返し片１５には予め接着加工されるものとしたが、製本の際に接着剤を塗布するようにしてもよい。  
さらに、見返し片１５を予め備えていないものとしても良い。製本の際のみ留め片１０の上から留め片の形状の接着剤が塗布された紙（ビニール等のテープ素材）等を貼り付けるようにしても良い。
【産業上の利用可能性】
【００３７】
本発明に係る書類整理バインダーは、図書館、公文書館等の他書類を整理保存する用途全般にも適用することができる。
【符号の説明】
【００３８】
１…書類整理バインダー
Ａ…書類
Ａ１…パンチ穴
ａ…側端縁
２…表カバー
２ａ…側端縁
３…裏カバー
３ａ…側端縁
１０…留め片
１１…綴じ紐
１２…剛性部
１３…引っ掛け部（細溝）
１４…背フラップ
１５…見返し片
１５ａ…糊代面
【図１】
2011031411.tif 000003
【図２】
2011031411.tif 000004
【図３】
2011031411.tif 000005
【図４】
2011031411.tif 000006
【図５】
2011031411.tif 000007
【図６】
2011031411.tif 000008
【図７】
2011031411.tif 000009